【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
動画像データを構成する画面を水平方向にｎ個（ｎは２よりも大きい整数）の領域に分割する領域分割手段と、
前記領域分割手段によって分割された領域ごとに前記動画像データを符号化する、前記領域分割手段によって分割された領域数より少ない複数の符号化手段と、
前記複数の符号化手段によってそれぞれ符号化された符号化データを合成する符号化データ合成手段と、
前記複数の符号化手段が異なる領域のデータを並列に符号化するよう制御するとともに、前記領域分割手段によって分割されたｎ個の領域のうち、前記画面の中央付近に位置している上下に隣接する２つの領域のうち上側に位置する領域のデータの符号化を、下側に位置する領域のデータの符号化よりも先に行うように制御する符号化制御手段とを備えたことを特徴とする動画像圧縮符号化装置。
【請求項２】
前記複数の符号化手段はそれぞれ、前記動画像データにおける符号化対象ブロックに対して周波数変換を行う周波数変換手段と、前記周波数変換手段によって変換された変換係数を所定の量子化ステップ幅で量子化する量子化手段とを備え、
前記符号化制御手段は、前記２つの領域のうち上側に位置する領域の符号化結果に応じて、前記２つの領域のうち下側に位置する領域に対して前記量子化手段で用いる量子化ステップ幅の初期値を設定することを特徴とする請求項１に記載の動画像圧縮符号化装置。
【請求項３】
前記領域分割手段は、前記画面を符号化処理の単位であるスライスで分割し、
前記複数の符号化手段はそれぞれ、前記領域分割手段によってスライス単位で分割されたｎ個の領域の画像データを、動き補償予測を用いて圧縮符号化することを特徴とする請求項１または２に記載の動画像圧縮符号化装置。
【請求項４】
前記領域分割手段は、前記画面を符号化処理の単位であるスライスで分割し、
前記複数の符号化手段はそれぞれ、前記領域分割手段によってスライス単位で分割されたｎ個の領域の画像データを、イントラ予測を用いて圧縮符号化することを特徴とする請求項１または２に記載の動画像圧縮符号化装置。
【請求項５】
前記符号化制御手段は、前記２つの領域のうち上側に位置する領域の最下段の符号化対象ブロックの情報に応じて、前記２つの領域のうち下側に位置する領域の最上段の符号化対象ブロックの前記イントラ予測に係る符号化パラメータを設定することを特徴とする請求項４に記載の動画像圧縮符号化装置。
【請求項６】
前記符号化制御手段は、前記領域分割手段によって分割されたｎ個の領域を１フレーム期間の中で時分割に符号化処理するよう制御することを特徴とする請求項１に記載の動画像圧縮符号化装置。
【請求項７】
動画像データを構成する画面を垂直方向にｎ個（ｎは２よりも大きい整数）の領域に分割する領域分割手段と、
前記領域分割手段によって分割された領域ごとに前記動画像データを符号化する、前記領域分割手段によって分割された領域数より少ない複数の符号化手段と、
前記複数の符号化手段によってそれぞれ符号化された符号化データを合成する符号化データ合成手段と、
前記複数の符号化手段が異なる領域のデータを並列に符号化するよう制御するとともに、前記領域分割手段によって分割されたｎ個の領域のうち、前記画面の中央付近に位置している左右に隣接する２つの領域のうち左側に位置する領域のデータの符号化を、右側に位置する領域のデータの符号化よりも先に行うように制御する符号化制御手段とを備えたことを特徴とする動画像圧縮符号化装置。
【請求項８】
前記複数の符号化手段はそれぞれ、前記動画像データにおける符号化対象ブロックに対して周波数変換を行う周波数変換手段と、前記周波数変換手段によって変換された変換係数を所定の量子化ステップ幅で量子化する量子化手段とを備え、
前記符号化制御手段は、前記２つの領域のうち左側に位置する領域の右端の符号化対象ブロックの符号化結果に応じて、前記２つの領域のうち右側に位置する領域の左端の符号化対象ブロックに対して前記量子化手段で用いる量子化ステップ幅の初期値を設定することを特徴とする請求項７に記載の動画像圧縮符号化装置。
【請求項９】
前記領域分割手段は、前記画面を符号化処理の単位であるスライスで分割し、
前記複数の符号化手段はそれぞれ、前記領域分割手段によってスライス単位で分割されたｎ個の領域の画像データを、動き補償予測を用いて圧縮符号化することを特徴とする請求項７または８に記載の動画像圧縮符号化装置。
【請求項１０】
前記領域分割手段は、前記画面を符号化処理の単位であるスライスで分割し、
前記複数の符号化手段はそれぞれ、前記領域分割手段によってスライス単位で分割されたｎ個の領域の画像データを、イントラ予測を用いて圧縮符号化することを特徴とする請求項７または８に記載の動画像圧縮符号化装置。
【請求項１１】
前記符号化制御手段は、前記２つの領域のうち左側に位置する領域の右端の符号化対象ブロックの情報に応じて、前記２つの領域のうち右側に位置する領域の左端の符号化対象ブロックの前記イントラ予測に係る符号化パラメータを設定することを特徴とする請求項１０に記載の動画像圧縮符号化装置。
【請求項１２】
前記符号化制御手段は、前記領域分割手段によって分割されたｎ個の領域を１フレーム期間の中で時分割に符号化処理するよう制御することを特徴とする請求項７に記載の動画像圧縮符号化装置。
【手続補正２】
【補正対象書類名】明細書
【補正対象項目名】０００８
【補正方法】変更
【補正の内容】
【０００８】
上記目的を達成するために、本発明の動画像圧縮符号化装置は、動画像データを構成する画面を水平方向にｎ個（ｎは２よりも大きい整数）の領域に分割する領域分割手段と、前記領域分割手段によって分割された領域ごとに前記動画像データを符号化する、前記領域分割手段によって分割された領域数より少ない複数の符号化手段と、前記複数の符号化手段によってそれぞれ符号化された符号化データを合成する符号化データ合成手段と、前記複数の符号化手段が異なる領域のデータを並列に符号化するよう制御するとともに、前記領域分割手段によって分割されたｎ個の領域のうち、前記画面の中央付近に位置している上下に隣接する２つの領域のうち上側に位置する領域のデータの符号化を、下側に位置する領域のデータの符号化よりも先に行うように制御する符号化制御手段とを備えたことを特徴とする。
【手続補正３】
【補正対象書類名】明細書
【補正対象項目名】０００９
【補正方法】変更
【補正の内容】
【０００９】
また、本発明の他の動画像圧縮符号化装置は、動画像データを構成する画面を垂直方向にｎ個（ｎは２よりも大きい整数）の領域に分割する領域分割手段と、前記領域分割手段によって分割された領域ごとに前記動画像データを符号化する、前記領域分割手段によって分割された領域数より少ない複数の符号化手段と、前記複数の符号化手段によってそれぞれ符号化された符号化データを合成する符号化データ合成手段と、前記複数の符号化手段が異なる領域のデータを並列に符号化するよう制御するとともに、前記領域分割手段によって分割されたｎ個の領域のうち、前記画面の中央付近に位置している左右に隣接する２つの領域のうち左側に位置する領域のデータの符号化を、右側に位置する領域のデータの符号化よりも先に行うように制御する符号化制御手段とを備えたことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１８
【補正方法】変更
【補正の内容】
【００１８】
まず、ステップＳ５０１において、領域分割回路１０２は、図２に示すように入力された画像信号に含まれる各画面２００を、メモリを用いて４個の領域（第１のエリア（Ａｒｅａ１）２０１〜第４のエリア（Ａｒｅａ４）２０４）にスライス単位に分割する。スライスとは、第１の符号化回路１０３ａ及び第２の符号化回路１０３ｂが行う符号化処理の単位である。図２は所定の画素ラインで画面を水平方向（横）に４分割した例である。本実施形態では符号化回路の数ｍは２とし、領域分割回路１０２における分割数ｎはｎ＞２（ｎは２よりも大きい整数）を満たせばよいが、ここではｎを４とする。
【手続補正６】
【補正対象書類名】明細書
【補正対象項目名】００４３
【補正方法】変更
【補正の内容】
【００４３】
フィールド単位、またはフレーム単位で画像信号入力部１０１に入力された画像信号は、一旦フレームメモリ６０１に保存される。ステップＳ５０１では図７のように、領域分割回路６０２は、フレームメモリ６０１に保存されたフレーム画像（画面７００）を、４個の領域（第５のエリア（Ａｒｅａ５）７０１〜第８のエリア（Ａｒｅａ８）７０４）にスライス単位に分割する。図７は所定の位置で画面７００を垂直方向（縦）に４分割した例である。本実施形態では符号化回路の数ｍは２とし、領域分割回路６０２における分割数ｎはｎ＞２（ｎは２よりも大きい整数）を満たせばよいが、ここでｎを４とする。